Podtech/llm-jp-corpus-v4-ja_patent huggingface dataset:
(57)【要約】【課題】ブラウンガスを使用して、ゼオライトの特性とトルマリンの特性を併せ持った合成材を作る方法である。【解決手段】ブラウンガスでゼオライトを溶融してその高温の時にトルマリンを混ぜて均一な組成を作って、徐々に冷却する。その後、強度を確認して加工する。【選択図】図１
2016198749.tif 000002
【特許請求の範囲】
【請求項１】
ゼオライトとトルマリンの細かな粒子をブラウンガスで製造する工法。
【請求項２】
トルマリンの特性を損なうことなく、ゼオライトの特性を受け継ぐ材料。
【請求項３】
トルマリンとゼオライトの配合比率を自由に変えられる工法。
【請求項４】
燃料電池、放射能の除染とうに使用。
【発明の詳細な説明】
【技術分野】
【０００１】本発明は、ゼオライトの利点とトルマリンの持つ特性を兼ね備えた合成材を製造するものである。
【背景技術】
【０００２】ゼオライトの特性は吸着機能、イオン交換機能があり、リン除去、窒素除去など行う。また、トルマリンはマイナスイオンを発生するためこの合成材は除染に適している。  これが合成されれば除染に有効である。
さらに、燃料電池にも効果的に働く。
【先行技術文献】
【特許文献】
【０００３】現在はゼオライトとトルマリンを粉末にしてシートに張っている。和紙に塗ったものをトルンギアと呼んでいる。    しかし、合成材にしたものはない。
【発明の概要】
【発明が解決しようとする課題】
【０００４】ゼオライトの融点は１，７００℃でトルマリンの融点は１，２００℃〜１、３００℃である。  最初にゼオライト及びトルマリン共、細しておき、ゼオライトを炉壺に入れ下部あるいは上部左右から燃焼する。
その際に燃焼温度は軽く１，７００℃位必要がある。  したがって、ブラウンガス（酸水素ガス）を使用する。  炉内でゼオライトが溶融したなら、第２工程の炉壺に入れ、そこにトルマリンの粉砕粒を入れる。  この炉壺にも同様にバーナーで燃焼するが、トルマリンが昇華しないように気を付ける。  あくまでも、両者の特性を壊してはいけない。  ここで、均一に混ぜてから型枠に流し込み急激に冷やさず、徐々にゆっくり冷やす。
その後、常温になってから注意しながら型枠から取り外す。
【課題を解決するための手段】
【０００５】ゼオライト・トルマリン合成材製造の基本構造は次による。
ゼオライトの溶融温度が高いのでゼオライトから先に炉壺に入れて溶融してからその後トルマリンを混入する。  トルマリンが溶融して均一に混ざると、これを慌てずゆっくりと冷やす。  急減に冷やすと脆性破壊が起こる。
（イ）  まず粉砕機でゼオライトを細かく粉砕しておく。
（ロ）  最初の炉壺にゼオライトを入れ、まずゼオライトを溶融する。
溶融温度は１．７００℃以上とする。    （溶融温度は約１，７００℃）上下        左右からでも良いが、ブラウンガスを使い上面から直に燃焼しても十分溶融する        ことができる。
（ハ）  次に溶融したゼオライトを第２の炉壺に入れ、そこに粉砕したトルマリンを入れ        る。  トルマリンの溶融温度は１，２００℃〜１，３００℃であるので１，７０        ０℃の溶融温度が非常に高いのでトルマリンを入れ  素早く均一に混ぜ、型枠に        流し込みローラーコンベアーで保管場所へ入れてゆっくり冷やす。
（ニ）  十分強度を確認して型枠から取り出す。
【発明の効果】
【０００６】ゼオライト・トルマリン合成材は燃料電池や放射能の除染にも良い。
（イ）  ゼオライトは防臭、除湿、アンモニアガス吸着、リン除去、窒素除去、硬水の軟        水化など行う。
（ロ）  トルマリンは健康に良いマイナスイオンを発生し、健康に良い。
【図面の簡単な説明】
【０００７】
【図１】  本発明のシステム図である。
【発明を実施するための形態】
【０００８】本発明者は燃料電池や放射能の除染に使いたい、  ゼオライトは吸着機能があるため放射能を吸着する。  また、トルマリンのマイナスイオンは除染機能がある。あまり強くはないがほんの少しある。
【構造】
【０００９】ゼオライト・トルマリン組合せであるため、それらの機能を生かしながらの使用である。  高機能剤であるため、燃料電池や除染、消臭など用途は多い。
ゼオライトの溶融点は１，７００℃前後
トルマリンは１，２００℃〜１，３００℃
【本発明を使用するときは以下の手順で行う】
【００１０】（イ）ゼオライトと同じやり方で加工していけば良い。
（ロ）吸着機能やイオン交換機能にマイナスイオンが増えたようなものである。
（ハ）壁材にも良い
（ニ）この合成材を粉末にして衣服に取り付ける材料にしても良い。
【符号の説明】
【００１１】  １．粉砕機
２．炉壺（１）
３．ゼオライト
４．下部バーナー（１）
５．上部バーナー（１）
６．ローラーコンベアー（１）
７．型枠（１）
８．炉壺（２）
９．下部バーナー（２）
１０．上部バーナー（２）
１１．トルマリン
１２．ローラーコンベアー（２）
１３．型枠（２）
１４．保管場所
１５．ゼオライト・トルマリン合成材
【図１】
2016198749.tif 000003
(57)【要約】【課題】化石燃料の排気ガスの浄化とＣＯ２からＣＨ３メタンの発生する装置。【解決手段】光触媒を使わず赤外線ＬＥＤ２．５ｎｍ〜５．０ｎｍでメタンＣＨ３を製造する装置【選択図】図１
2016198750.tif 000002
【特許請求の範囲】
【請求項１】
排気システム（煙道出口から以降のシステム）。
設計図書全般。
【請求項２】
排ガス処理装置。
【請求項３】
光触媒を使わず、波長２．５μｍ〜５．０μｍの赤外線ＬＥＤでメタンＣＨ３を発生する装置。
【請求項４】
ＰＭ２．５やダイオキシンの発生防止の方法。
【発明の詳細な説明】
【技術分野】
【０００１】本発明は、化石燃料を使った機器類の排ガスに含まれるＣＯ２（二酸化炭素）やＰＭ２．５の有害物質を除去するために開発した装置である。
使用に際しては排気ガスを排気風量に応じたウォーターブースに当てて水中に入ったＣＯ２を赤外線ＬＥＤによってメタンＣＨ３として取り出す。
また、ＰＭ２．５はブラウンガスで焼却すると良い。
【背景技術】
【０００２】二酸化炭素（ＣＯ２）やＰＭ２．５などをブラウンガスで燃焼してプラズマ化して昇華しても良いが、ＣＯ２を回収してメタンにして燃料にした方が経済である。  したがって、煙突出口付近でブラウンガスを燃焼してＰＭ２．５などの粒子を焼却してから、ウォーターブースに通うした方が良い。  今回の発明は、ＰＭ２．５は煙道出口付近でブラウンガスにて燃焼焼却、ＣＯ２はウォーターブース経由後排ガス処理装置でメタンＣＨ３として取出し燃料に再使用する。
【先行技術文献】
【特許文献】
【０００３】現在はブラウンガスによるＣＯ２やＰＭ２．５の除去は行われていない。
さらに、赤外線ＬＥＤ２，５００ｎｍ〜５０００ｎｍを光触媒なしで照射して二酸化炭素ＣＯ２を取り出す特許は存在しない。
【発明の概要】
【発明が解決しようとする課題】
【０００４】ＣＯ２は赤外線２．５〜３．０μｍや４〜５μｍの波長に強い吸収帯がある。
したがって、この波長の赤外線で水中を照射すればＣＯ２を集めることができる。
光→←光    ２Ｈｅ
Ｃ＋＋Ｏ２−＋Ｈ２＋＋Ｏ−＋Ｈ＋＋Ｈ−
→ＣＨ３＋Ｏ３−＋Ｈ２Ｏ＋Ｈ＋
【課題を解決するための手段】
【０００５】煙道出口付近でブラウンガスを燃焼して、ＰＭ２．５の粒子を焼却除去する。  その後送風機で排ガスをウォーターブースに当て、空中のＣＯ２を水中に移動させる。  その後ウォーターブースに溜まっている処理水を排ガス処理装置に導き赤外線ＬＥＤを照射してＣＯ２を取り出す。
排ガス処理装置は
（イ）  その煙突の排気量に見合った処理能力が必要である。
（ロ）  送風機は軸流ファンやシロッコファンなどいろいろあるが、ここでは軸流ファン      を使う。
排気ガスの温度が低いと（３００℃位）ダイオキシンが発生するので煙道出口付近      のブラウンガス燃焼で１，０００℃位にする必要がある。
（ハ）  ウォーターブースは水の幕を作って後ろ側に鋼板を設置して、空気を強く吹き付      けられても水の幕が乱れることなく、空気を叩き落とせる位に水量を増やしておく      。ウォーターブースの下部は水槽になっていて、ポンプで循環させる。
（ニ）  上記の繰り返しで空気の浄化を図る。
【発明の効果】
【０００６】（イ）  ＣＯ２からメタンＣＨ３がとりだせる。  再度燃料として使える。
（ロ）  ＰＨ２．５も除去できる。
（ハ）  ダイオキシンの発生も防げる。
【図面の簡単な説明】
【０００７】
【図１】  排ガス処理装置の姿図
【図２】  ウォーターブースの姿図
【発明を実施するための形態】
【０００８】（排ガス処理装置）
（イ）水中で波長２．５μｍ〜５．０μｍの赤外線ＬＥＤを両面から照射する。  間          隔は５ｃｍ位で良い。波長が長いので透過損失も少ない。
（ロ）水中設置なので、防水に注意が必要である。
（ハ）排ガスの排気量に合すため、照射面積とメタンの貯蔵タンクを大きくしたりし          なければならない。
（ブラウンガス燃焼装置）
（ニ）煙道出口にブラウンガス燃焼装置を設置する。
【本発明を使用するときは以下の手順で行う】
【００１０】（イ）煙道出口に設置したブラウンガス燃焼装置を運転する。
（ロ）それと同時に煙道に設置している軸流ファンも運転して
（ハ）排気ガスをウォーターブースに当てる。
（二）ウォーターブースから導かれた水に赤外線ＬＥＤを照射する。
（ホ）発生したメタンを貯蔵タンクでためる。
（ヘ）それの繰り返し。
【符号の説明】
【００１１】１．軸流ファン
２．ブラウンガスの燃焼装置
３．ウォーターブース
４．シロッコファン
５．水槽
６．水中ポンプ
７．排ガス処理装置
８．赤外線ＬＥＤ  ２．５μｍ〜５．０μｍ
９．ガラス面
１０．集光カバー
１１．取り付け金具
１２．電源プラグ
１３．電源表示灯  ＯＮ    ＯＦＦ
１４．メタン貯蔵タンク
１５．仕切弁
【図１】
2016198750.tif 000003
【図２】
2016198750.tif 000004
(57)【要約】【課題】  コーターヘッドの先端に異物が堆積しない構造とすること。【解決手段】  コーターヘッド先端（２）と塗布基材（被着体）との接触個所（Ｐ）に対し、塗布ライン流入側▲Ａ▼からの第１加圧エアー（Ｋ１）と、塗布ラインの流出側▲Ｂ▼からの第２加圧エアー（Ｋ２）とを吹付け、基材（Ｗ）の表面の塗布個所（Ｐ）の両側から、微細な加圧エアーを吹付けることにより、塗布基材（被着体）の上の異物（Ｒ）を取り除くことを特徴とする。【選択図】図１
2016198753.tif 000002
【特許請求の範囲】
【請求項１】
コーター塗布個所（Ｐ）に対し、塗布ライン流入側▲Ａ▼からの第１加圧エアー（Ｋ１）と、塗布ライン流出側▲Ｂ▼からの第２加圧エアー（Ｋ２）とを吹付け、基材（Ｗ）の表面の塗布個所（Ｐ）の両側から、微細な加圧エアーを吹付けることにより、塗布基材の上の異物を取り除くことを特徴とするコーターシステム。
【発明の詳細な説明】
【技術分野】
【０００１】  本発明は、テープ、フィルム等の表面にホットメルト接着剤を塗布するコーターヘッドに関する。
【背景技術】
【０００２】  紙おむつの製造にあたり、塗布ラインにおいて高速走行中のトップシート等のフィルムの表面に、コーターヘッドの底面を対向させ、該底面よりホットメルト等の塗布剤を吐出させることて、フィルムの表面の所定個所にホットメルト等を塗布している。【０００３】  上述の塗布作業に際して、塗布基材（フィルム等）の表面に付着している異物がコーダーヘッド底面（ノズル先端）に蓄積することで、蓄積した異物の除去のため塗布ラインを停止させ作業を中断して洗浄または清掃する必要を生じている。
【公知技術】
【０００４】  コーターヘッド底面（ノズル先端）の上流側に位置して加圧エアーの吹付け装置を付加することで、塗布基材の表面に付着している異物を除去することが考えられているが、異物を確実に除去されていない。
【発明が解決すべき課題】
【０００５】  前述の問題を解決すべく、コーターヘッドの先端に異物が堆積しない構造とすることを本発明の課題とする。
【課題を解消するための手段】
【０００６】  本発明は、コーターヘッド先端（２）と塗布基材（被着体）との接触個所（Ｐ）に対し、塗布ライン流入側▲Ａ▼からの第１加圧エアー（Ｋ１）と、塗布ラインの流出側▲Ｂ▼からの第２加圧エアー（Ｋ２）とを吹付け、基材（Ｗ）の表面の塗布個所（Ｐ）の両側から、微細な加圧エアーを吹付けることにより、塗布基材（被着体）の上の異物（Ｒ）を取り除くことを特徴とする。
【図面の簡単な説明】
【０００７】
【図１】本発明のコーターシステムの実施側を示す大要図。
【図２】塗布ラインの大略を示す説明図。
【図３】第１加圧空気流（Ｋ１）および第２加圧空気流（Ｋ２）の説明図。
【実施例】
【０００８】  図１は、本発明のコーターシステムの要部を示し、図２に示す塗布ラインの一部に装備するものである。【０００９】  コーダーヘッド（１）は、コーダーヘッド先端（２）を塗布基材（接着材）（Ｗ）に接当する位置に装備する。【００１０】  塗布基材（被着材）（Ｗ）は、図２を参照して、ローラ（１０）とローラ（１１）とにより矢印（イ）方向に走行している。【００１１】  テンションローラー（１２）（１３）により、コーターヘッド先端（２）に接当する塗布基材（Ｗ）の表面は、コーターヘッド先端（２）に向け押圧されている。【００１２】  図２において、塗布ライン流入側▲Ａ▼は塗布ライン流入側を示し、塗布ラインの流出側▲Ｂ▼は塗布ライン流出側を示している。【００１３】  Ｐ点は、コーターヘッド先端（２）と対向接触するところの塗布基材（Ｗ）の表面の塗布個所を示す。【００１４】  図１，２を参照して、コーターヘッド（１）の上方に、コーターベース（３）を介して、弁ハウジング（４）を装備して、コーターシステムを構成している。【００１５】  コーターヘッド（１）は、左半体（１Ａ）と右半体（１Ｂ）とで構成し、両半体（１Ａ）（１Ｂ）の合せ面にエアー噴出方向案内板を介装して接着剤孔（２０）を形成し、接着剤孔（２０）の下端は、コーターヘッド先端（２）において開口している。【００１６】  左半体（１Ａ）には加圧空気孔（３０）が形成され、接着剤孔（２０）の中間位置に先端が開口し、加圧空気供給口（Ｂ１）に連通し、接着剤孔（２０）の接着剤に加圧空気が供給されるように構成されている。【００１７】  しかし、本発明の実施にあたり、接着剤は、接着剤孔（２０）内を自然流下する方式とし、上記の加圧空気供給機構を省いてもよいものである。【００１８】  次に、本発明の要部である第１加圧エアー（Ｋ１）よび第２加圧エアー（Ｋ２）について説明する。【００１９】  図３を参照して、左半体（１Ａ）の底面の前方向き下向き傾斜面（４１Ａ）に切欠面（４２Ａ）を有するシス板（４３Ａ）を固定して、第１加圧エアー吹出孔（４０Ａ）を形成する。【００２０】  連通孔（４４Ａ）を介して微細な加圧エアー供給源（４５Ａ）に、第１加圧エアー吹出孔（４０Ａ）を連通する。【００２１】  かくして、矢印▲Ａ▼方向でＰ点に向かう第１加圧エアー（Ｋ１）形成される。【００２２】  後方向き上向き傾斜面（４１Ｂ）を有する右半体（１Ｂ）についても、左半体（１Ａ）と同様に、エアー噴出方向案内板（４３Ｂ）を固定して第２加圧エアー吸出孔（４０Ｂ）を形成し、連通孔（４４Ｂ）を介して、微細な加圧エアー供給源（４５Ｂ）に連通する。【００２３】  かくして、矢印▲Ｂ▼方向で、Ｐ点に向かう第２加圧エアー（Ｋ２）が形成される。【００２４】  実施例においては、第１加圧エアー（Ｋ１）は、約３０°傾斜、第２加圧エアー（Ｋ２）は約６０°傾斜で、吹出口の先端よりＰ点までの距離は第１加圧エアー（Ｋ１）が大である。基材（Ｗ）の表面に付着した異物（Ｒ）は、第１加圧エアー（Ｋ１）により除去され、残余の異物（Ｒ）はＰ点で、第２加圧エアー（Ｋ２）で除去されることで、ほぼ完全にコーターヘッド先端（２）への異物の堆積は阻止される。【００２５】  なお、本願発明の目的達成の��めには、エアー噴出方向案内板によるコーターヘッドとの一体化を必須とするもではなく、加圧エアー（Ｋ１）（Ｋ２）の吹出し装置を別部品としてコーターヘッド（１）の下方に装備してもよいものである。
【産業上の利用可能性】
【００２６】  本願発明は、体液吸収体製品（ナフキン、使い捨ておむつ等）の製造システムにおいて、コーターヘッド先端への異物の付着堆積を阻止し清掃のためのライン停止を無くして運転効率を高めるとともに、この種の塗布装置製造業の発展に寄与するものである。
【符号の説明】
【００２７】  １  コーターヘッド
２  コーターヘッド先端
Ｋ１  第１加圧エアー
Ｋ２  第２加圧エアー
【図１】
2016198753.tif 000003
【図２】
2016198753.tif 000004
【図３】
2016198753.tif 000005
(57)【要約】      （修正有）【課題】支柱を簡単に取り付けられ、移動もできる支柱立て付きプランターを提供する。【解決手段】鉄材で骨組だけの立方体の箱１で、パイプ２を向かい合う２側面の両端と中央およびもう一方の向かい合う２側面中央に取り付け、底面には鉄線８を網目状に設け、移動できるように本体底面にキャスタ５を付けたことを特徴とする支柱立て付きプランター。また、移動できない場所にある、プランターや鉢はキャスタを付けない支柱立て付きプランター。【選択図】図１
2016106611.tif 000002
【特許請求の範囲】
【請求項１】
鉄材で骨組だけの立方体の箱で向かい合う２側面にパイプを両端と中央に設け、もう一方の向かい合う２側面中央に取り付け底面には鉄線を網目状に設け、移動できるように本体底面にキャスタを付けたことを特徴とする支柱立て付きプランター。
【請求項２】
移動できない場所にあるプランターや鉢にはキャスタを付けないで使用する請求項１の支柱立て付きプランター。
【発明の詳細な説明】
【技術分野】
【０００１】  本発明は支柱立てにプランターとキャスタを取り付けた支柱立て付きプランターに関するものである。
【背景技術】
【０００２】  従来、プランターで支柱を使うときは、プランターの中の土に立てたり、外側の壁に立て掛けていた。
また、移動させることは想定していなかった。
【先行技術文献】
【特許文献】
【０００３】
【特許文献１】  特開２００２−３４３４５号公報
【発明の概要】
【発明が解決しようとする課題】
【０００４】  そのために次のような問題点がある。
プランターや鉢は、大部分のものは、移動しないことを前提に作られ、支柱を立てることも考えられていなかった。
以上の問題点を解決するためになされたものである。
【課題を解決するための手段】
【０００５】  鉄材で骨組だけの立方体の箱で向かい合う２側面にパイプを両端と中央に設け、もう一方の向かい合う２側面中央に取り付け底面には鉄線を網目状に設け、移動できるように本体底面にキャスタを付けたことを特徴とする支柱立て付きプランター。
【発明の効果】
【０００６】  従来、鉢やプランターは、支柱を立てることも、移動することも、大部分の物は想定されていなかった。
本発明により支柱が簡単に付けられ、また、移動もキャスタを付ければできるようになる。
以上の構成よりなる支柱立て付きプランター。
【図面の簡単な説明】
【０００７】
【図１】  本発明の斜視図である。
【図２】  本発明のキャスタを付けないで片側に支柱を立てプランターを入れてツル植物を植えた状態を示した斜視図である。
【図３】  同じく樹木を植えた状態を示した斜視図である。
【図４】  同じくツル樹木を植えた状態を示した斜視図である。
【発明を実施するための形態】
【０００８】  以下、本発明の実施の形態について説明する。
（イ）鉄材で骨組だけの立方体の箱で、向かい合う２側面にパイプ（２）を両端と中央に    設け、もう一方の向かい合う上側面に中央にそれぞれネジ（１０）ボルト（３）、ま    たは、溶接で取り付ける。
底面は鉄線（８）を網目状に溶接等で付ける。
移動できるように、本体底面にキャスタ（５）を付ける。
（ロ）移動できない場所にあるプランター（１１）や鉢にはキャスタ（５）を付けないで    使用し、形や大小に合わせて形成する。
（ハ）木材やプラスチック等で本発明を形成するときは、プランター（１１）や鉢と、一    体形にしてもよい。
【符号の説明】
【０００９】    １  本体
２  パイプ
３  ボルト
４  ネジ穴
５  キャスタ
６  腕部
７  腕部
８  鉄線
９  柱
１０  ネジ
１１  プランター
１２  支柱
１３  ひも
１４  ツル植物
１５  樹木
１６  ツル樹木
【図１】
2016106611.tif 000003
【図２】
2016106611.tif 000004
【図３】
2016106611.tif 000005
【図４】
2016106611.tif 000006
(57)【要約】【課題】  従来の鳥類の防除方法では当初取付けた防除具に対して、鳥類が時間経過によって学習能力により仕掛けた防除具への鳥類の慣れに対応することが出来なかった。【解決手段】非磁性体製の球体面に複数の円形凹を設け、そこに円形磁石を固定し、球体本体に取付け具を設けた鳥類防除用マグネットボール。【選択図】図１
2016106614.tif 000002
【特許請求の範囲】
【請求項１】
非磁性体製の球体面に複数の円形凹を設け、複数の円形凹に円形状の磁石を固定し、球体本体に取付け具を設けた鳥類防除用マグネットボール。
【請求項２】
球体に取付けた磁石は表面側を統一した極に設けた請求項１の鳥類防除用マグネットボール。
【請求項３】
球体表面に紫外線及至近紫外線の短波長域を強調するために、紫外線発光性を有する顔料を含んだものを塗布した請求項１又は請求項２の鳥類防除用マグネットボール。
【発明の詳細な説明】
【技術分野】
【０００１】  本発明は農地等に於ける鳥類防除に関するものである。
【背景技術】
【０００２】  鳥類や獣類を防除する技術として、円板に磁石を取り付けて吊り下げて鳥類防除を行うことが知られていた。
【先行技術文献】
【特許文献】
【０００３】
【特許文献１】特開２００９−２０７４１１号公報
【特許文献２】特開２００６−４３２３３号公報
【発明の概要】
【発明が解決しようとする課題】
【０００４】  従来の鳥類の防除方法では当初取付けた防除具に対して、鳥類が時間経過によって学習能力により仕掛けた防除具への鳥類の慣れに対応することが出来なかった。
それは従来から用いられていた代表的な防除具のＣＤ円盤を吊るして用いたやり方や、ＣＤ円盤に磁石を取付けた防除具ではどうしても、鳥類の慣れによる防除具の効果が薄れてしまっていた。そのことに農作物の鳥害が発生してしまうなどの繰り返しが生じていた。
【課題を解決するための手段】
【０００５】  非磁性体製の球体面に複数の凹を設け、そこに円形磁石を固定した鳥類防除用マグネットボール。
【発明の効果】
【０００６】  本発明により、従来の鳥類の防除方法では解決できなかった。鳥類が当初取付けた防除具に対して、時間経過によって仕掛けた防除具への鳥類の慣れに対応することが出来るようになった。
それは従来から用いられていた代表的な防除具のＣＤ円盤を用いたやり方や、ＣＤ円盤に磁石を取付けた防除具と比較して、球体面から発生する磁場を全方位にそして均一に発生することが可能となったことにより、鳥類の慣れを防止出来るようになった。それにより、農家が最も困っていた蒔いた種子を餌にするために、鳥類がこの蒔いた種子を食べに来て餌にすることを持続的に防止することが可能となった。
鳥類の侵入を防止することによって、トウモロコシや林檎等の農作物に傷付けられなくなった。又、学校の屋上歌壇やプールや海岸近くの建物に設置することにより、
鳥類が寄り付かなくなり糞害を防ぐことが可能となった。更に、海上のノリ養殖場への防除等広範囲にわたり役立つことが出来るようになった。
【図面の簡単な説明】
【０００７】
【図１】本発明の斜視図
【図２】本発明の取付け状態図
【発明を実施するための形態】
【０００８】    以下、本発明の実施の形態について説明する。
（イ）非磁性体製の球体（１）を用い、任意の表面に複数個の円形凹部（２）を設ける。
量産をする場合は樹脂にて球体を作成することが好ましい。
（ロ）円形凹部（２）には円形磁石（３）をはめ込み固定する。
（ハ）非磁性体製の球体（１）の中心の左右対称位置に当たる両端にフック状の取付け金      具（４）を取付ける。
（ニ）非磁性体製の球体（１）の表面にはカラスが嫌う黄色い樹脂を用いて成形するか、      又はカラスの嫌う黄色い塗料を塗布しても良い。
本発明は以上のような構造である。
本発明を使用するときは、鳥類の侵入を防ぐために図２に示すように、例えば農作物の周りに支柱（５）を取付け、本発明の球体（１）のフック状の取付け金具（４）を用いてロープ（６）にて吊り下げ。吊り下げる際に複数個の球体（１）を繋ぎ合わせると良い。
本実施例では横に並べて取付けたが、支柱にロープを張り縦に連結することも出来る。
設置場所に合わせて縦に並べるか、横に並べるか自由に組合せ取り付けが可能である。
又、球体（１）にはめ込む円形磁石（３）の表面側を全てＳ極（７）に統一したものと、表面側を全てＮ極（８）に統一した球体（１）を交互に並べて吊り下げることによって、磁界が強まり鳥類の侵入を防ぐ効果が生じる。
更に防鳥効果を高めるために、球体（１）の表面に紫外線及至近紫外線の短波長域を強調するために、紫外線発光性を持った顔料を含んだものを塗布しても良い。
【符号の説明】
【０００９】１非磁性体製の球体、２円形凹部、３円形磁石、４フック状の取付け金具、５支柱、６ロープ、７Ｓ極、８Ｎ極
【図１】
2016106614.tif 000003
【図２】
2016106614.tif 000004
(57)【要約】      （修正有）【課題】動物脂は、人体にとって微量しか必要としない。しかし、殆どの人は摂取しすぎで生活習慣病に罹っており、血液がどろどろになり、血栓や動脈瘤等の大病になる危険性がある。健康体を維持する為、食品の動物性脂を除去することができる、料理食品の脱脂・脱灰汁の方法を提供する。【解決手段】造り上げた食品を冷ましてから、ビニール袋並びにポリエチレンアルミ製品、ＯＰＰナイロン袋、ポリ袋等に入れ、しっかりと縛り、冷蔵庫に入れる。１晩経つと、袋の上部に脂灰汁が固まっているので、底を切って、食品に、固まった脂灰汁が混じらないように取り出すことにより、身体に良い食べ物を得ることができる。【選択図】なし【特許請求の範囲】
【請求項１】
動物性の脂は身体にとって悪影響をおよぼします食生活の欧米化によって動物性脂肪の増加と植物繊維の摂取不足があると指摘されています乳房前立線大腸等がんに関連が強いと考えられている又心臓病糖尿病憩室疾患便秘などの疾患に影響を与えている
【請求項２】
身体にとって油得に脂は有害である脂肪肝皮下脂肪血管に入りコレステロールになりいろいろな病気の原因となっている老人化している現在脳の心臓の病が大変な勢いで増えている生活習慣病の為である
【請求項３】
以上の事から自身で試し調理した食べ物だけを食し動物脂房を取らず。２ヶ月で２０キログラムの体重減となった此の事で動物脂肪が身体に良くないかが良く分かりました
私は長年調理師をやってきましたので今までに脂を食品からレードルで掬い取っていました又油を吸い取る紙も出ましたが完全ではありませんでした
【請求項４】
人体を造っているのは口から入る物しかありません身体をつかさどっているのは口から入る物だけです大切な事は植物と動物たんぱく質青魚とのバランスですが動物たんぱく質は必要ですが殆ど動物脂肪は  入りませんこの特許は動物脂肪を取り除く最適な方法です
【請求項５】
造り上げた食品を覚ましてからビニール袋並びにポリエチレンアルミ製品ＯＰＰナイロン袋ポリ袋等入れしっかりと縛り冷蔵庫に入れ１晩経つと上部に脂灰汁が固まっている底から切って出し脂が固まって居ますので入れないように注意する事で脂を取る事ができる灰汁も脂に入っているので身体に良い食べ物と成ります。いかに身体に悪いかは皆知っていると思います。その方法が此れです。
【発明の詳細な説明】
【技術分野】
【０００１】本発明は  動物性脂並びに灰汁の除去する方法です。【０００２】従来は  動物性の脂  灰汁はレードルですくい取りましたが  全てを取り除く事は出来ません脂を吸い取る紙も使われていますが全てを吸い取る事は出来ません。本発明は
９５％以上の脂  灰汁を取り除く事が出来ます。
【発明の概要】
【０００３】人体にとって  動物性の脂は有害である。食の欧米化により  動物性脂を取り過ぎ  脳  心臓  内臓疾患  血液のコレステロールによる病気が増えている。
原因は  口から入る物しかなく何を好むかの事により生活習慣病となる。
老人大国化した現在求められる調理法と動物性脂の除去は  大切な事と考えます。
【発明が解決しようとする課題】
【０００４】私は長年調理師を職業として来ました。美味しい物を造る事だけを考えてきました。
が老人大国化した現在考えなくては  いけない問題は  病気に合った食事と思います  脳梗塞  脳溢血  心臓弁膜症  心不全  糖尿病  前立腺肥大  膀胱肥大等
数えたら切りが無い  血液が脂肪に寄ってどろどろに成っている  サラサラにする事です。又  老人になれば血管も老化致します。動物性の脂は  コレステロールを造る原因です。それを９５％取り除く方法です。
【課題を解決するための手段】
【０００５】鶏肉中心に全体の５％  青魚１５％  野菜  豆  海藻類８０％このメニューで３ヶ月で２５ｋｇ減量した。糖尿病  肝脂肪  膀胱肥大は全くと言って良い程改善した。自分自身で実現致しました。図に描いてある事を説明いたします。
鍋に料理が入っていて冷ましている状態から  ビニール等袋に移すし  次に。ビニール袋の口から空気を抜き汁をあふれ出させます。ビニール袋の口を固く結びます。
それを冷蔵庫に入れ  １２時間置きます。取り出しますと上部に脂と灰汁が固まっております。ビニール袋を逆さまにして下部よりハサミで切り取り  器  鍋に入れる。電子レンジ  あるいは  鍋で温める。食卓へ  こうすれば動物性脂肪は  除去出来ます。
(57)【要約】      （修正有）【課題】美術品を展示する展示ケース内は密閉されており、加えて、展示ケースは建材や内装材から構成されていることから、微量なホルムアルデヒドや有機酸、アンモニアなどの有害ガスが発生し、発生するガスは微量であるものの、該展示ケース内に書籍や絵画などの美術品を長時間置いておくと劣化の原因となるため、発生する微量ガス除去用の効率的で長寿命のガス除去具の提供。【解決手段】展示ケース内にガス除去用のハニカム形状ガス吸着具を設置し、前記除去具は、ガス吸着容量、吸着効率に優れ、更に、自然対流接触でガスを除去することで、従来手法の動力を用いての空気循環を展示ケース内で起こす必要がなく、美術品に損傷を与える危険性がないガス除去具。【選択図】図１
2016106817.tif 000002
【特許請求の範囲】
【請求項１】
美術品の展示ケース内や展示ホールに設置し、展示ケース内などで発生するホルムアルデヒドや有機酸、アンモニアなどの有害ガスを除去することを特徴とした貫通孔を有するハニカム形状のガス除去具。
【請求項２】
有害ガスを吸着、分解する反応薬剤、触媒などを付与したことを特徴とした請求項１の貫通孔を有するハニカム形状のガス除去具。
【発明の詳細な説明】
【技術分野】
【０００１】
本発明は、書籍や絵画などを展示している美術館、博物館などのケース内に設置し、展示ケース内で発生するホルムアルデヒドや有機酸、アンモニアなどの有害ガスを吸着除去することを目的としたガス除去具に関するものである。
【背景技術】
【０００２】
美術品を展示している展示ケースは、建材や内装材、展示台などから構成されているため、ケース内では微量なホルムアルデヒドや有機酸、アンモニアなどの有害ガスが発生し、展示している美術品を変色、腐蝕などで劣化させてしまうことが懸念されている。
【０００３】
従来では特許文献１のように、粒状または微粒子状のガス吸着材を袋体状の通気シートに封入して保管庫内に置いておく有害ガス除去具、あるいは、展示ケース内にシート状のガス吸着材を敷き詰め、あるいは、貼り付ける手法があった。
【０００４】
しかしながら、いずれの手法もガスの吸着容量能力、見栄えなどで芳しくなく、短期的で少ない効果しか得られない面もあり、最適な手法とはいえなかった。
【０００５】
特許文献２では、ガス吸着材が充填された袋体であるガス除去具と、ファンモーターを内蔵した展示ケース用空気清浄器を用いて展示ケース内の空気を循環させ、有害ガスを除去する手法が発案されているが、ガス除去率は向上するものの、送風による美術品の破損、電気品使用による火災の問題が懸念される。
【先行技術文献】
【特許文献】
【０００６】
【特許文献１】特開2012-217986
【特許文献２】特開2014-25692
【発明の概要】
【発明が解決しようとする課題】
【０００７】
本発明では、安全でシンプルな構造のガス除去具を用いることで、有害ガスによる展示ケース内の美術品の劣化を防ぐとともに、ケース内の頻繁なガス除去具の入れ替え、メンテナンスの手間を回避し、ガス除去容量が大きく、効率的で長寿命のガス除去具を提供する。
【０００８】
また、本発明は、空気清浄器などのようにファンモーター動力を用いずに展示ケース内のガスを除去することによって、電動機器からの送風や動力部からの発火による美術品など破損のリスクを回避することを目的とする。
【課題を解決するための手段】
【０００９】
本発明では、上記課題を解決するために、圧力損失の殆どない貫通孔を複数に有したハニカム形状のガス除去具を展示ケース内に設置し、ケース内での自然対流での空気の流動を利用して該ガス除去具を構成する吸着剤に有害ガスを接触させることで、ケース内の有害ガスの吸着除去を行う。
【００１０】
該ガス除去具は、ゼオライトやセピオライトなどの無機系吸着剤と活性炭を混合したもの、或いは銅や亜鉛、銀、チタンなどの金属酸化触媒、及び、酸、アルカリなどの化学反応剤を添加して、ハニカム形状に成型したものを用いる。
【００１１】
該ガス除去具の形状は20mm〜250mmの立方体、長方体であり、ハニカム構造の開口孔は1mm〜10mmである。該開口孔の厚みは2mm以下であることが望しい。
【００１２】
展示ケース内では、建材や内装材から微量なホルムアルデヒドや有機酸、アンモニアなどの有害ガスが発生しており、温度分布などで僅かではあるがガスの流動が生じている。該展示ケース内に該ガス除去具を置いておくことで、流動したガスは該ガス除去具におけるハニカム構造の開口孔に接触、通過し、活性炭での細孔吸着、あるいは、反応剤での吸着除去が行われる。
【００１３】
ハニカム構造の開口孔は、該ガス除去具を貫通しているため、殆ど抵抗無く気流が通過し、さらに、ガスへの接触面積が広いことから高いガス除去効果が望める。
【発明の効果】
【００１４】
本発明におけるガス除去具は、ハニカム形状であるため、空気との接触面積が広く、ガス除去用シートなどと比較して、ガス吸着量の容量の大きさ、つまり、ガス除去具としての長寿命化とガス除去能力向上が期待できる。
【００１５】
また、展示ケース内の微量な空気の流れを利用して有害ガスの除去を行うことにより、動力を使用することなく、また、展示ケース内に送風することもないので、展示ケース内の美術品を電気的火災などで破損する恐れがなく、美術品への気流損傷も与えない。
【図面の簡単な説明】
【００１６】
【図１】展示ケース内に設置するハニカム形状のガス除去具の外観
【発明を実施するための形態】
【実施例】
【００１７】
本発明に用いられるガス除去具は、ゼオライトやセピオライトなどの無機系吸着剤と活性炭を混練したものと、或いは金属酸化触媒、反応薬剤を添着加工し、ハニカム形状に成型したものである。構成材料に関しては、特に限定されるものではなく、本ガス除去具の設置環境に応じて変更したとしても本発明の趣旨が変更されるものではない。
【００１８】
該ガス除去具は、100mm×100mm×100mmの立方体であり、ハニカム形状の穴は1.5mm四方の正方形を形成し、貫通している。１立方メートルの展示ケース内に１個設置することで、ケース内で発生した有害ガスは、微量な空気流によって該ガス除去具のハニカム構造の開口孔に接触し、該ガス除去具の反応作用によってガスの吸着除去が行われる。また、展示ケースが大容積の場合、ケース内の空気循環を促すことを目的としてバッテリーを内蔵したファンを展示ケースに設置、あるいは、該ガス除去具に接するように設置させてもよい。
【産業上の利用可能性】
【００１９】
電力を使用することなく、表面積の大きさを利用した効率的な有害ガスの吸着除去が可能なため、展示ケースに限らず、美術品の保管庫や書庫、書棚、一般室内や居住空間、医療関係など、密閉された空間内で発生する有害ガスの除去に、安全で簡便に幅広く活用することが期待できる。
【図１】
2016106817.tif 000003
(57)【要約】【課題】従来の炭素繊維発熱線は金属細線で束ねたり、絶縁物で縛ったりして手羽、フライを防止していたが抵抗値が高く（１０Ω/1m）暖める時は高い電圧を印加する必要があった。【解決手段】 炭素繊維をピッチ系にすることと、複数本縒ることなく傷つけることなく、重ね合わせて塩化ビニールで被覆して切断することのない炭素繊維に、更にアラミド繊維で断熱層を形成し、シリコン、フッ素系樹脂で被覆し、圧着端子を潰さず巻きつけ圧力で電線と接続する炭素繊維発熱線で温度の立ち上がりも早く、高温まで使用できる発熱線を提供できる。【選択図】    図２
2016139496.tif 000002
【特許請求の範囲】
【請求項１】
ピッチ系炭素繊維に電流を流すことで発熱する発熱体であって、上記炭素繊維を複数本縒ることなく平行に重ね合わせて軟らかいビニール系の被覆をかけることと、パラ系アラミド繊維で断熱層を形成し、電流を流す電線と炭素繊維を接続する圧着端子から構成されることを特徴とする炭素繊維発熱線。
【請求項２】
炭素繊維発熱線に、フッ素系樹脂、シリコン系樹脂で被覆をし、アラミド繊維で断熱層を形成したことを特徴とする請求項１記載の炭素繊維発熱線。
【請求項３】
圧着端子は電流を安定して流すため炭素繊維と電線を包み込み接続する端子で構成されたことを特徴とする請求項１又は２に記載の炭素繊維発熱線。
【発明の詳細な説明】
【技術分野】
【０００１】
省電力で発熱する、炭素繊維発熱線に関する。          
【背景技術】
【０００２】
従来から炭素繊維の発熱線を製作するとき、電線を製作する押出被覆工程機械を使用することが知られています、炭素繊維は細く、しかも破断伸びが小さい（高々2 ％）ので、複数本縒ったりすることでフライや粉塵となり大気中に飛散し易い、これを防止するため金属細線(例えば、特許文献１参照）また強化繊維（特許文献２参照）で束ねる等の方法をとっている。
【先行技術文献】
【特許文献】
【０００３】
【特許文献１】特開２００８−２３５２３０号公報
【特許文献２】特開２０１１−１８１３１１号公報
【特許文献３】特開２０１０−２５７６３２号公報
【発明の概要】
【発明が解決しようとする課題】
【０００４】
以上述べたように発熱線に炭素繊維を使う理由は少ない電力で発熱することであるが製作するときに電線押出機を使うため破断したり毛羽となりフライは電線押出機の電気回路に入り短絡することがある。
【課題を解決するための手段】
【０００５】
本発明は、このような従来の構成が有した問題を解決使用としたものであり炭素繊維から発熱する電力を少なくて高温になることを目的とした物である。
【発明の効果】
【０００６】
電線押出機を使うにあたり、トウ（長繊維）を２段重ねにするトウは出荷されるときサイジング剤が塗布され形状は整っていることと、押出機で毛羽など出さずに被覆することができ,少ない電力で発熱する発熱線を提供できる。
【図面の簡単な説明】
【０００７】
【図１】発熱線と電線が接続された炭素繊維発熱線。
【図２】炭素繊維（トウ）にビニール被覆をした発熱線。
【図３】パラ系アラミド繊維で断熱層を形成。
【図４】炭素繊維発熱線と電線を接続状況。
【図５】炭素繊維発熱線の端子接続部に熱収縮チューブかける。
【図６】圧着端子の締まる様子。
【発明を実施するための形態】
【０００８】
以下、本発明の実施形態を図1〜図6基づいて説明する。
【０００９】
図においては、１は炭素繊維発熱線の発熱する部分で２、は圧着端子に熱収縮チューブで絶縁し3、の通電線に接続し電流を流している。
【００１０】
A-A1の断面は４炭素繊維（トウ）を平行に傷をつけずに５塩化ビニール系の軟らかい被覆で覆いA-A2の断面のように、６パラ系アラミド繊維で断熱層を形成し７のフッ素、シリコン系樹脂で覆う。
【００１１】
４，５の炭素繊維を電線の中心に空間を設け電線の中心に炭素繊維を差込、６パラ系アラミド繊維は３の銅線と４，５のアラミド繊維と分離してハサミで切断する。
【００１２】
９の圧着端子は市販品とは違い、フッ素系、シリコン系樹脂も含めて纏める方式で11を固定し、10を巻き閉める。
【実施例】
【００１３】
本発明は炭素繊維をサイジング剤が塗布された状態で平行に重ね合わせ傷をつけず、毛羽、フライなど粉塵を大気中に出さずにビニール被覆してしまい図１に示すように、発熱線を電線と接続する端子と熱収縮チュウブで構成された炭素繊維発熱線である。
【００１４】
実施例について説明する、図２A-A1断面は炭素繊維トウを平行に重ね縒らずに塩化ビニールで被覆し、図３A-A2断面図のように炭素繊維を塩化ビニール被覆したものに、自己消火があるパラ系アラミド繊維で断熱層を作り、フッ素系、シリコン系樹脂で被覆する、図４で炭素繊維と電線を接続する時に電線の中に、炭素繊維を挿入し折れない胴で保護し、圧着端子をつぶすさずに巻きつける様に閉める。
【００１５】
本実施例は炭素繊維を縒りをかけず、毛羽を極力少なくしたためと電線を接続する際、銅の中に炭素繊維が入るため電流が安定して供給できる従って省電力で温度の立ち上がりが早く、高温まで対応できる発熱線できる。
【符号の説明】
【００１６】
１  炭素繊維発熱線
２  熱収縮チューブを被った圧着端子
３  通電よう電線
４  長繊維トウ
５  塩化ビニール系被覆
６  パラ系アラミド繊維
７  シリコン系、フッ素系樹脂被覆
８  熱収縮チューブ
９  圧着端子
１０  覆端子で巻き込む
１１  巻き込み受け側端子
【図１】
2016139496.tif 000003
【図２】
2016139496.tif 000004
【図３】
2016139496.tif 000005
【図４】
2016139496.tif 000006
【図５】
2016139496.tif 000007
【図６】
2016139496.tif 000008
(57)【要約】【課題】信号線が受ける電源線からの悪影響を防止する手段。【解決手段】青色２芯、茶色２芯の、同ＬＡＮケーブルの外周に、  電力線、及び信号線を接続し、中央部の緑色２芯、橙色２芯は、ＵＳＢ接続親機の接地側に接続することにより。  信号線が受ける電源線からの悪影響を低減し、高信頼性、高転送速度を保証するものである。【選択図】図１
2016139498.tif 000002
【特許請求の範囲】
【請求項１】
図２はＢＥＬＤＥＮ１８７４ＬＡＮケーブルをＵＳＢケーブルに転用し、中央部４芯２線をグラウンドアースすることにより
、信号線が受ける電源線からの悪影響を低減する、ＵＳＢケーブル。
【発明の詳細な説明】
【技術分野】
【０００１】
本発明は、ＢＥＬＤＥＮ１８７４ＬＡＮケーブルの配線を応用した
ＵＳＢケーブルに関するものである。
【背景技術】
【０００２】
ＵＳＢ接続の中で、ＢＥＬＤＥＮ１８７４ＬＡＮケーブルを応用したＵＳＢケーブルは、青色２芯、茶色２芯の、同ＬＡＮケーブルの外周に、
電力線、及び信号線を接続し、中央部の緑色２芯、橙色２芯は、ＵＳＢ接続親機の接地側に接続することにより
信号線が受ける電源線からの悪影響を低減することができる。
ＢＥＬＤＥＮ１８７４ＬＡＮケーブルは三日月断面によるケーブル内での２芯の交錯を防止している先願を有するので
本出願の実現を容易にするものである。
【先行技術文献】
【特許文献】
【０００３】
【非特許文献】
【０００４】
【発明の概要】
【０００５】
【発明が解決しようとする課題】
【０００６】
【課題を解決するための手段】
【０００７】
【発明の効果】
【０００８】
本発明のＢＥＬＤＥＮ１８７４ＬＡＮケーブルを応用したＵＳＢケーブルは、
信号線が受ける電源線からの悪影響を低減し、ＵＳＢケーブルの安定性、高速転送性に
寄与するものである。
【図面の簡単な説明】
【０００９】
【図１】図２はＢＥＬＤＥＮ１８７４ＬＡＮケーブルのケーブル配置図を示した図面代用写真である。
【発明を実施するための形態】
【００１０】
緑色２芯、橙色２芯は親機側コネクタのみ接地し、電源線のグラウンドループを防止している。
【図１】
2016139498.tif 000003
(57)【要約】【課題】従来は、乗り物の運転中に居眠りをしてしまったとき、交通事故へとつながっていくことがあった。【解決手段】  これまでのように運転者が運転中に、居眠り状態になりかけたり、なったとき、視線追跡センサー装置のアイカメラで運転者の瞳孔や上眼瞼の動きを観察し平常時と違う動きが比較観察されたとき、運転席に組み込まれたバイブロモーターで運転者の身体に振動を伝えたり、非常警報用スピーカーから警報音を発して居眠りから目覚めさせ居眠りを防止することが出来るサービスとして提供し使用することが出来る。【選択図】図１
2016012332.tif 000002
【特許請求の範囲】
【請求項１】
乗り物に乗ったとき、運転中の居眠り防止のために運転者の前方方向に組み込んだ視線追跡センサー等で観察をするアイカメラ（ヘットバンドで頭部に装着したり、メガネで装着をする方法もあるが今回は非接触的な使用方法）で、運転者の瞳孔や上眼瞼の動きを運転中常時観察することにより、瞳孔の動きが平常時と違う鈍い動きになったり、又上眼瞼が瞳孔をふさぐように閉じた状態になりかけたり、なったときパーソナルコンピューターに記憶させてある比較用基準保存データーと照らし合わせ、居眠り状態との判断となれば瞬時に運転席に組み込んだバイブロモーターを作動させ運転者の身体に振動を伝え居眠り状態から目覚められるように刺激を与える、又短時間に再度視線追跡センサーが変化を感知することがあれば、バイブロモーターの振動とともにヘッドレストに組み込んだ非常警報用スピーカーから聴覚への刺激的アナウンスとして併用することで、さらなる目覚めのための居眠り防止装置として使用することが出来る。
【発明の詳細な説明】
【技術分野】
【０００１】この発明は、今までは乗り物での運転中に居眠り状態になりかけたり、居眠り状態になる事があったため、安全運転が維持できるように視線追跡センサーのアイカメラをヘッドバンドで頭部に装着したり、メガネを使って装着する方法もありますが、今回は非接触方法により運転席の前方方向に視線追跡センサー等の非接触的なアイカメラを新たに組み込み、運転者の瞳孔や上眼瞼の動きを観察し運転者が居眠り状態になりかけたとき、視線追跡センサー等の装置が座席に組み込んだバイブロモーターを作動させて運転者の身体に振動を伝えることで、運転時の居眠り状態になることを防ぐ居眠り防止装置。
【背景技術】
【０００２】現在、乗り物での運転時に居眠りをしてしまったとき、大きな居眠り事故へとつながることがあったので、運転時に居眠り状態になりかけてもその居眠りを防止できるような事が望まれていた。
【発明の概要】
【発明が解決しようとする課題】
【０００３】これまでは、次のような欠点があった、これまでは乗り物の運転時居眠りをして大きな事故へとつながることがあったので、運転時に居眠り状態になりかけた時や居眠り状態になったとき、運転席の前方方向に組み込まれた視線追跡センサーのアイカメラが運転者の瞳孔の動きや上眼瞼の状態を観察し、平常時の瞳孔や上眼瞼の動きと違う動きが観察されたとき、視線追跡センサーの装置が運転席に組み込まれたバイブロモーターを作動させて運転者の身体に振動を伝え目覚めを促し、居眠り状態になることを防ぎ平常運転が出来るようにと考えられたものである。
【課題を解決する為の手段】
【０００４】これまでのように、乗り物での運転中に居眠り状態になりかけても、なったときでも、運転席前方方向に組み込まれた視線追跡センサーのアイカメラで運転者の瞳孔や上眼瞼の動きを運転時に常時観察しておくことで、瞳孔や上眼瞼の動きが平常時とは違う動きを観察したとき、視線追跡センサーから運転席に組み込まれたバイブロモーターを作動させて、居眠り状態になりつつある運転者の身体に振動を伝え居眠り状態から目覚めるようにと、視線追跡センサーとバイブロモーター等を組み込んだ居眠り防止装置。
【発明の効果】
【０００５】乗り物の運転席前方方向に視線追跡センサーのアイカメラを、又、運転席にバイブロモーターを組み込むことで、運転者が乗り物の運転中居眠り状態になりかけても、前方方向に組み込まれた視線追跡センサーのアイカメラが、運転者の瞳孔の動きや上眼瞼の変化を観察し、パーソナルコンヒ゜ューターで居眠り状態を判断し運転席に組み込まれたバイブロモーターを作動させ、運転者の身体に振動を伝えて運転中の居眠りから目覚めさせることで、居眠り運転による事故を防止するサービスとして提供することが出来る。
【図面の簡単な説明】
【０００６】
【図１】乗り物運転席側面図
【図２】運転席側面図
【図３】運転席正面図
【発明を実施する為の形態】
【０００７】以上、本願発明の実施の形態について説明する。
乗り物に乗ったとき、居眠り運転の防止のために運転者の前方方向に組み込んだ視線追跡センサー等で観察をするアイカメラにより運転者の瞳孔や上眼瞼の動きを常時観察し、瞳孔の動きが鈍くなったり上眼瞼が閉じた状態になったとき、パーソナルコンピューターに記憶させている保存データーと比較し、居眠り状態との判断になれば瞬時に運転席に組み込まれたバイブロモーターを作動させ、運転者の身体に振動を伝え居眠り状態になりかけたとき、居眠りから目覚めるようにするサービスとして使用することが出来る。
【符号の説明】
【０００８】▲１▼車両の椅子
▲２▼アイカメラ
▲３▼パーソナルコンピューター
▲４▼フロントボード
▲５▼ステアリング
▲６▼フロントウインドウ
▲７▼乗り物床
▲８▼取り付け金具
▲９▼バイブロモーター
▲１０▼ヘッドレスト
▲１１▼非常警報用スピーカー
▲１２▼電源用配線
▲１３▼配線
【図１】
2016012332.tif 000003
【図２】
2016012332.tif 000004
【図３】
2016012332.tif 000005